(57)【要約】【課題】掲載情報量を従来より飛躍的に高めることができる植物栽培容器用表示具および植物栽培容器を提供する。【解決手段】植栽された植物に関する情報を印刷したシートを収納する袋部３ａおよび十字状のスリット３ｃが設けられたヘッダ部３ｂからなる表示用袋体３と、略棒状の本体４ａとこの本体４ａの一端に形成されて植物栽培容器の上縁に係合する取付部４ｂおよび前記本体４ａの他端部から突出する袋体係止部４ｃを備える支持具４と、からなる植物栽培容器用表示具２を、内部に土と植物とを収容する植物栽培容器（植木鉢１）の開口縁部に取り付ける。【選択図】図１
0003138288.tif 000002
【実用新案登録請求の範囲】
【請求項１】
植物栽培容器に取り付けて、この容器に植栽された植物に関する情報を掲示する植物栽培容器用表示具であって、
情報を印刷したシートを収納する袋部および十字状のスリットが設けられたヘッダ部からなる表示用袋体と、
略棒状の本体と、この本体の一端に形成されて前記植物栽培容器の上縁に係合する取付部と、前記本体の他端部から該本体の長手方向に対して垂直に突出する袋体係止部とを備える支持具と、
からなることを特徴とする植物栽培容器用表示具。
【請求項２】
前記支持具の取付部が、前記植物栽培容器の上縁を内外から挟み込むコの字状に形成されていることを特徴とする請求項１に記載の植物栽培容器用表示具。
【請求項３】
前記支持具の袋体係止部が、前記棒状の支持具本体から突出する柱部と、その先端に設けられた前記柱部の最大径より大径の抜け止め部とから形成されていることを特徴とする請求項１または２に記載の植物栽培容器用表示具。
【請求項４】
上部に設けられた開口から、内部に土と植物とを収容する植物栽培容器であって、
その開口の縁部には、略棒状の本体とこの本体の一端に形成されたコの字状の取付部および前記本体の他端部から該本体の長手方向に対して垂直に突出する袋体係止部とからなる支持具の取付部が、嵌め入れられているとともに、
この支持具の袋体係止部には、植物に関する情報を印刷したシートを収納する袋部および十字状のスリットが設けられたヘッダ部からなる表示用袋体が、そのスリットを前記袋体係止部に挿通して係止されていることを特徴とする植物栽培容器。
【考案の詳細な説明】
【技術分野】
【０００１】
本考案は、植物栽培容器に取り付けて、この容器に植えられた植物に関する情報を掲示する植物栽培容器用表示具と、この表示具をその上部の縁に取り付けた植物栽培用の容器（容器セット）に関する。なお、本考案における「植物栽培容器」とは、植木鉢・プランタや育苗ポット等、花卉，野菜，植木等の展示・販売・育成に用いられる容器全般を包含する。だたし、本案表示体の構成上、その上部が開口し、かつ、その上縁が硬質なものに限られる。
【背景技術】
【０００２】
従来、比較的背丈の低い花卉や植木などは、陶器製あるいは合成樹脂製の植木鉢等に、土と一緒に植栽されて展示・販売等が行われており、植木鉢等に収容された土壌には、植えられた植物の各情報が記載された立札状の表示ラベル（または表示札，表示板など）が差し込まれている場合が多い（例えば、実開平７−３０６３２号公報等を参照。）。
【０００３】
また、この表示ラベルを土壌に突き刺すのではなく、植物栽培容器本体に固着させる方法として種々の提案・考案がなされている。例えば、植木鉢の縁に設けた穴に立札状のラベルの支柱を挿入する方法（実開平６−６１０４１号公報）、植木鉢本体にラベル脚部のスライドガイドを配設する方法（特開２００１−１０３８４２号公報）、植木鉢の側面に嵌合する爪部によりラベルを該側面に固着する方法（特開２００１−２０４２６２号公報）や、植木鉢の上縁両側に設けられた係止孔に挿通した吊り下げベルトに、表示ラベルを配設する方法（特開２００３−２１００４６号公報）等が知られている。
【考案の開示】
【考案が解決しようとする課題】
【０００４】
ところで、以上のような植物栽培容器用の表示具（表示ラベル）は、近年、植物の名前や写真だけでなく、詳しい栽培方法や農薬の使用履歴等、当該植物に関するより多くの情報を表示することが求められてきている。
【０００５】
しかしながら、ラベルの表示部を大きくして、その表裏の面積を確保するだけでは限度があり、上記従来の提案や考案による種々の手段をもってしても、表示部の重量が増加することに起因するラベルの脱落等が懸念される。
【０００６】
本考案は、このような実情に鑑みてなされたものであり、その掲載情報量を従来より飛躍的に高めることができる植物栽培容器用表示具および植物栽培容器を提供することを目的としている。
【課題を解決するための手段】
【０００７】
前記の目的を達成するために、請求項１に記載の考案は、植物栽培容器に取り付けて、この容器に植栽された植物に関する情報を掲示する植物栽培容器用表示具であって、情報を印刷したシートを収納する袋部および十字状のスリットが設けられたヘッダ部からなる表示用袋体と、略棒状の本体とこの本体の一端に形成されて前記植物栽培容器の上縁に係合する取付部および前記本体の他端部から該本体の長手方向に対して垂直に突出する袋体係止部を備える支持具と、からなることを特徴とする。
【０００８】
この考案は、シートを収納する袋部（収納室）およびこの袋部の吊り下げを支持するヘッダ部からなる袋体（包装用袋：特開２００５−４７５３０号公報参照）に、多くの情報を印刷したシートを折り畳んだ状態で収納し、この袋体を植木鉢等の縁に取り付けた専用支持具により係止することにより、所期の目的を達成しようとするものである。
【０００９】
すなわち、本考案の請求項１に係る植物栽培容器用表示具によれば、表示（掲示）部を袋状とすることにより、この袋部の中に、植物に関する多様な情報を印刷したシート（パンフレット，チラシ等）を収納することが可能になる。従って、本考案の植物栽培容器用表示具は、植物の名前や写真だけでなく、詳しい栽培方法や農薬の使用履歴等、この植物に関するより従来より多くの情報を提供することができるようになる。
【００１０】
また、この植物栽培容器用表示具は、植物栽培容器の上縁に係合して固定された支持具の袋体係止部に、上記表示用袋体ヘッダ部のスリット部位を挿通して係止することにより、この袋体を短時間で容易に、かつ、しっかりと固定することができるとともに、対象植物の品種が異なる場合も、中に収納するシートを変更するだけで済み、表示用袋体および支持具の形状は１つで事足りる。従って、本考案の植物栽培容器用表示具は、植物の品種ごとに個別の内容を直接印刷していた従来品に比べ、植物の情報表示にかかるコストの上昇を最小限に抑えることができる。
【００１１】
ここで、前記支持具の取付部の具体的な形状として、前記植物栽培容器の上縁を内外から挟み込むコの字状、を好適に採用することができる。（請求項２）
【００１２】
この取付部の形状により、植物栽培容器の全体形状に関わらず、前記支持具を容易に取り付けることができる。
【００１３】
また、前記支持具の袋体係止部の具体的な形状として、前記棒状の支持具本体から突出する柱部と、その先端に設けられた前記柱部の最大径より大径の抜け止め部とから形成されている構成を好適に採用することができる。（請求項３）
【００１４】
以上の構成は、前記表示用袋体を簡単かつ確実に係止することを意図したものであって、棒状の支持具本体から突出する柱部と、この柱部の最大径（すなわち、柱部の横断面の最大幅であって、角柱の場合「対角線長」、円柱の場合「直径」等を表す）より大きな外径を有する抜け止め部とを形成することにより、表示用袋体ヘッダ部のスリットへのスムーズな挿入と、この袋体（ヘッダ部）の抜け止めを同時に実現することができる。
【００１５】
次に、請求項４に記載の考案は、上記請求項２に記載の表示具を備える植物栽培容器であって、その開口の縁部には、略棒状の本体とこの本体の一端に形成されたコの字状の取付部および前記本体の他端部から該本体の長手方向に対して垂直に突出する袋体係止部とからなる支持具の取付部が、嵌め入れられているとともに、この支持具の袋体係止部には、植物に関する情報を印刷したシートを収納する袋部および十字状のスリットが設けられたヘッダ部からなる表示用袋体が、そのスリットを前記袋体係止部に挿通して係止されていることを特徴とする植物栽培容器である。
【００１６】
以上の構成により、本考案に係る表示具付き植物栽培容器は、表示用袋体を短時間で容易に、かつ、しっかりと係止することができるとともに、この表示用袋体の中に、詳しい栽培方法や農薬の使用履歴等、この植物に関するより従来より多くの情報を提供するシートを収納することが可能になる。
【考案の効果】
【００１７】
以上のように、本考案の植物栽培容器用表示具および表示具付き植物栽培容器によれば、コストアップを最小限に抑えつつ、その掲載情報量を従来より飛躍的に高めることができる。また、表示用袋体に収容するシートを交換するだけで、他の品種への対応も容易に行うことができるようになる。
【考案を実施するための最良の形態】
【００１８】
以下、図面を参照しつつこの考案を実施するための形態について説明する。
図１は、本考案の実施形態における植物栽培容器を示す外観斜視図であり、図２および図３は、本考案の実施形態における植物栽培容器用表示具の構造を示す図である。
【００１９】
この実施形態における植物栽培容器（容器セット）は、内部に土と植物とを収容する植物栽培容器本体（植木鉢１）と、その植物に関する情報を印刷したシートを収納・掲示する植物栽培容器用表示具２と、から構成されている。
【００２０】
植木鉢１は、、従来公知の植木鉢と同様、底部と、上部が開口する側壁（周面）１ａからなる略カップ状であり、樹脂を用いて形成されている。なお、本考案において必須ではないが、その側壁１ａの一部には、植物の植え込み方向と後述する植物栽培容器用表示具２の取付位置の特定を容易にするためのＵ字状の溝１ｂが設けられている。
【００２１】
また、植物栽培容器用表示具２は、情報を印刷したシートを収納・表示する表示用袋体３と、この表示用袋体３を所定位置に吊り下げて掲示する支持具４と、から構成されている。
【００２２】
表示用袋体３は、透明な樹脂フィルムを用いて形成されており、幅方向の区画シール部３ｄにより、図２のように、情報を印刷したシートを収納する袋部３ａとヘッダ部３ｂとに区画されている。袋部３ａは、幅方向（図示左右方向）両端が熱融着された袋状であり、その下部（図示下方）に位置する開口には、内容物を密封する蓋部が形成されている。また、ヘッダ部３ｂには、この部位を補強すべく、熱圧着加工（あるいは、転造加工，ローレット加工等）が施されており、その表面には、多数の小さな（例えば、高さ１ｍｍ以下の）凸部が形成されているとともに、その略中央には、裏面まで貫通する十字状の切れ込み（スリット３ｃ）が形成されている。
【００２３】
なお、このヘッダ部２ｂのスリット３ｃに代えて、円形やその他形状の穴等を設けても良い。また、表示用袋体３の全体形状や材質も、特に限定されるものではなく、内部に収納するシートの大きさや厚さ等に合わせ、適宜変更することができる。
【００２４】
次に、支持具４は、樹脂からなる成形品であり、略丸棒状の支持具本体４ａと、この本体４ａの一端側（根本側）に形成された取付部４ｂと、本体４ａの他端部（先端側）から突出する袋体係止部４ｃと、から構成されている。
【００２５】
取付部４ｂは、図３（ｂ）のように、下方に向かう略コの字に形成されており、植木鉢１の開口上縁を内外から挟み込むことができるように構成されている。なお、このコの字状取付部４ｂには、前記植木鉢の上縁を挟み込む力を強めるために、その内面から内側に向けて突出する凸部４ｄと、その一方の開口端部から下方に向けて延びる弓状部４ｅとが設けられている。
【００２６】
袋体係止部４ｃは、取付部４ｂ同様、支持具本体４ａと一体に形成されているものであり、図３（ａ）のように、本体から水平方向に突出する柱部４ｆ，４ｆと、その先端に設けられた抜け止め部４ｇ，４ｇとから構成されている。この柱部４ｆは円柱状であり、本例においては、支持具本体４ａを挟んで対向する位置（対称位置）に２つ（１対）設けられている。
【００２７】
また、これらの先端に形成された抜け止め部４ｇは、緩やかな曲面からなる略三角すい状であり、その三角すい底部の外径は、前記円柱状柱部４ｆの最大径（直径）より大きくなるように形成されている。
【００２８】
さて、以上の構成の植物栽培容器用表示具２は、植木鉢１に植栽される予定の植物に関する情報を印刷したシート（パンフレット，チラシ等）を、袋部３ａの中に収納した表示用袋体３を予め用意し、前記支持具４の取付部４ｂを植木鉢１の上縁（本例においては、Ｕ字状の溝１ｂが設けられた図示所定位置）に嵌め入れるとともに、この支持具４の袋体係止部４ｃに、前記表示用袋体３のスリット３ｃを挿入することにより、簡単かつスピーディに、表示具付き植物栽培容器（容器セット）を構成することができる。また、この植物栽培容器は、多くの情報を収容する表示具を取り付けた（掲示した）まま、展示・販売等を行うことができる。
【００２９】
従って、本考案の植物栽培容器用表示具およびこの表示具付き植物栽培容器は、植物の名前や写真だけでなく、詳しい栽培方法や農薬の使用履歴等、この植物に関するより従来より多くの情報を提供することができるようになる。また、また、表示用袋体に収容するシートを交換するだけで、他の品種への対応も容易に行うことが可能となる。
【００３０】
なお、本考案における植物栽培容器用表示具および植物栽培容器は、以上の実施形態における例に限定されるものではなく、植物栽培容器本体（植木鉢・プランタや育苗ポット等）の形状に合わせ、種々の変形を行うことができる。
【００３１】
例えば、支持具４の本体４ａの形状は、角柱状や多角形状の柱状等でも良く、その一部や全体が折れ曲がったり、曲線を描いていても良い。また、支持具４の材質や、その取付部４ｂおよび袋体係止部４ｃ（柱部４ｆと抜け止め部４ｇ）の形状や数も、特に限定されるものではなく、植物栽培容器本体の上縁の形状や、表示用袋体３の係止穴等の形状に合わせ、適宜変更することができる。
【図面の簡単な説明】
【００３２】
【図１】本考案の実施形態における表示具付き植物栽培容器の構成を示す外観斜視図である。
【図２】本考案の実施形態における植物栽培容器用表示具の表示用袋体３の構造を示す図である。
【図３】本考案の実施形態における植物栽培容器用表示具の支持具４の構造を示す図であり、（ａ）は正面図、（ｂ）は側面図である。
【符号の説明】
【００３３】
１  植木鉢（植物栽培容器本体）
１ａ  側壁    １ｂ  溝
２  植物栽培容器用表示具
３  表示用袋体
３ａ  袋部    ３ｂ  ヘッダ部    ３ｃ  スリット    ３ｄ  区画シール部
４  支持具
４ａ    （支持具）本体    ４ｂ  取付部    ４ｃ  袋体係止部
４ｄ  凸部    ４ｅ  弓状部    ４ｆ  柱部    ４ｇ  抜け止め部
【図１】
0003138288.tif 000003
【図２】
0003138288.tif 000004
【図３】
0003138288.tif 000005